(57)【要約】【課題】  施工性と利便性とが向上した光加入者線用配線システムを提供する。【解決手段】  光ファイバケーブルＦＣとＬＡＮケーブル２と電源線３とが接続され光ファイバケーブルＦＣに伝送される光信号とＬＡＮケーブル２に伝送される電気信号との相互の変換を行う光加入者線終端装置１を、屋外に配置した。また、それぞれ屋内に引き込まれるＬＡＮケーブル２と電源線３とを介して光加入者線終端装置１に接続され屋内に配置されて端末機器に接続されるとともに電源線３を介して光加入者線終端装置１に電源を供給する屋内接続装置４を屋内に配置した。光ファイバケーブルＦＣを扱う作業が屋外のみで完了し、屋内の配線作業ではＬＡＮケーブルを扱うだけでよいから、施工性と利便性とが向上する。【選択図】図１
2008042494.tif 000002
【特許請求の範囲】
【請求項１】
屋外に配置され光ファイバケーブルとＬＡＮケーブルと電源線とが接続され光ファイバケーブルに伝送される光信号とＬＡＮケーブルに伝送される電気信号との相互の変換を行う光加入者線終端装置と、
それぞれ屋内に引き込まれるＬＡＮケーブルと電源線とを介して光加入者線終端装置に接続され屋内に配置される屋内接続装置とからなり、
屋内接続装置は、光加入者線終端装置に接続されたＬＡＮケーブルと端末機器とを接続する接続手段と、電源線を介して光加入者線終端装置に電源を供給する電源供給手段とを有することを特徴とする光加入者線用配線システム。
【請求項２】
屋内接続装置は、ＬＡＮケーブルを介して光加入者線終端装置に接続されたレセプタクルであって一端が端末機器に接続されたＬＡＮケーブルの他端に設けられたプラグが接続される接続手段としてのレセプタクルを有することを特徴とする請求項１記載の光加入者線用配線システム。
【請求項３】
屋内接続装置の接続手段は、一端が光加入者線終端装置に接続されたＬＡＮケーブルの他端に設けられたプラグが接続されるレセプタクルを有することを特徴とする請求項１記載の光加入者線用配線システム。
【発明の詳細な説明】
【技術分野】
【０００１】
本発明は、光加入者線用配線システムに関するものである。
【背景技術】
【０００２】
従来から、加入者線として光ファイバケーブルを用いた通信システムとして、ＦＴＴＨ（Fiber  To  The  Home）が提供されている（例えば、特許文献１参照）。これは、公衆網から各家庭まで配線された光ファイバケーブル（光加入者線）を、光加入者線終端装置（ONU：Optical  Network  Unit）に接続し、各家庭において電話機やパーソナルコンピュータ等の端末機器をＬＡＮケーブルを介して光加入者線終端装置に接続するものである。光加入者線終端装置は、光ファイバケーブルを伝送される光信号とＬＡＮケーブルを伝送される電気信号との相互の変換を行う。
【０００３】
従来の光加入者線用配線システムでは、光ファイバケーブルを、屋内に設置された光加入者線終端装置まで引き込み、この光加入者線終端装置に、屋内に設置された端末機器を接続していた。
【特許文献１】特開２００２−２１７９３３号公報
【発明の開示】
【発明が解決しようとする課題】
【０００４】
光ファイバケーブルは他の通信ケーブルに比べ、最小曲げ半径が比較的に大きく扱いに注意が必要なことや、ケーブル同士の接続が難しいことにより、光ファイバケーブルの配線は専門の知識を有する施工業者が行う必要がある。しかし、上記従来の配線システムでは、光ファイバケーブルを屋内まで配線する必要があったため、上記施工業者のような外部の人間の屋内への立ち入りを嫌う家庭や留守の時間が多い家庭などでは施工が困難であった。また、部屋の模様替え等で光加入者線終端装置や端末機器の設置場所を変更したいときにも、やはり上記のような施工業者に依頼しなければ、光ファイバケーブルの取り扱いを誤って通信不能になるなどの問題が生じるおそれがあり、利便性が低かった。
【０００５】
本発明は上記事由に鑑みてなされたものであり、施工性と利便性とが向上した光加入者線用配線システムを提供することにある。
【課題を解決するための手段】
【０００６】
請求項１の発明は、屋外に配置され光ファイバケーブルとＬＡＮケーブルと電源線とが接続され光ファイバケーブルに伝送される光信号とＬＡＮケーブルに伝送される電気信号との相互の変換を行う光加入者線終端装置と、それぞれ屋内に引き込まれるＬＡＮケーブルと電源線とを介して光加入者線終端装置に接続され屋内に配置される屋内接続装置とからなり、屋内接続装置は、光加入者線終端装置に接続されたＬＡＮケーブルと端末機器とを接続する接続手段と、電源線を介して光加入者線終端装置に電源を供給する電源供給手段とを有することを特徴とする。
【０００７】
この発明によれば、光ファイバケーブルを扱う施工業者の作業が屋外のみで完了する。従って、光ファイバケーブルを屋内まで引き込む場合に比べ、屋内での作業で光ファイバケーブルを扱う必要がないことにより施工性が向上し、施工業者が屋内に入る必要がないことにより利便性が向上する。
【０００８】
請求項２の発明は、請求項１の発明において、屋内接続装置は、ＬＡＮケーブルを介して光加入者線終端装置に接続されたレセプタクルであって一端が端末機器に接続されたＬＡＮケーブルの他端に設けられたプラグが接続される接続手段としてのレセプタクルを有することを特徴とする。
【０００９】
請求項３の発明は、請求項１の発明において、屋内接続装置の接続手段は、一端が光加入者線終端装置に接続されたＬＡＮケーブルの他端に設けられたプラグが接続されるレセプタクルを有することを特徴とする。
【発明の効果】
【００１０】
本発明は、光加入者線終端装置を屋外に配置するようにしたことにより、光ファイバケーブルを扱う施工業者の作業が屋外のみで完了する。従って、光ファイバケーブルを屋内まで引き込む場合に比べ、屋内での作業で光ファイバケーブルを扱う必要がないことにより施工性が向上し、施工業者が屋内に入る必要がないことにより利便性が向上する。
【発明を実施するための最良の形態】
【００１１】
以下、本発明を実施するための最良の形態について、図面を参照しながら説明する。
【００１２】
本実施形態の配線システムは、図１に示すように、公衆網に接続された光加入者線からの引き込み用の光ファイバケーブル（いわゆるドロップケーブル）ＦＣが接続され屋外に設置された光加入者線終端装置１と、ＬＡＮケーブル２と電源線３とを介して光加入者線終端装置１と接続された屋内接続装置４とを備える。光ファイバケーブルＦＣと光加入者線終端装置１との接続には、例えばＳＣ型やＭＵ型などの周知の光コネクタを用いることができる。ＬＡＮケーブル２及び電源線３は、それぞれ、壁材Ｗに埋め込まれて屋内と屋外とを連通させる挿通筒Ｗ１を通じて屋内に引き込まれる。挿通筒Ｗ１としては、必ずしも専用のものを用いる必要はなく、例えばエアコン用のものを兼用してもよい。屋内に設置された電話機やパーソナルコンピュータ等の各種の端末機器（図示せず）は、ＬＡＮケーブル２を介して屋内接続装置４に接続される。光加入者線終端装置１の電源は、電源線３を介して屋内接続装置４から供給される。
【００１３】
光加入者線終端装置１は、光ファイバケーブルＦＣに伝送される光信号とＬＡＮケーブル２に伝送される電気信号との相互の変換を行うものである。光加入者線終端装置１は、光加入者線終端装置１を雨滴から保護するように防水性を有するケース１０に収納される。光加入者線終端装置１及びケース１０は周知の技術で実現可能であるので、詳細な構成についての図示並びに説明は省略する。
【００１４】
屋内接続装置４は、図２に示すように、後面を壁材Ｗに向け、ホルダ５を介して壁材Ｗに固定される直方体形状のハウジング４０を備える。以下、上下左右は図２を基準とし、屋内接続装置４及びホルダ５の構造について説明する。
【００１５】
ハウジング４０は、図３に示すように、前面が開口した直方体形状のボディ４１と、ボディ４１の前側に結合してボディ４１の前面を閉塞するカバー４２とからなる。カバー４２は前後に扁平な直方体形状の本体部４２ａと、本体部４２ａの後面の四隅からそれぞれ後方に突設され後面にねじ穴（図示せず）が開口した筒状のねじ止め部４２ｂとを有する。ボディ４１の底面の四隅にはそれぞれねじ挿通穴４１ａが前後に貫設されており、ねじ挿通穴４１ａに挿通されてねじ止め部４２ｂに螺合するねじＳａにより、ボディ４１とカバー４２とは互いにねじ止めされている。
【００１６】
ホルダ５は、前後に扁平な直方体形状であって、挿通筒Ｗ１に連通するケーブル挿通穴５１が前後に貫設されている。ケーブル挿通穴５１の左右両側にはそれぞれねじ挿通穴５２が前後に貫設されていて、ねじ挿通穴５２に挿通されて壁材Ｗに螺合するねじ（図示せず）によってホルダ５は壁材Ｗにねじ止めされる。また、各ねじ挿通穴５２の上側には、それぞれ、先部が上方へ曲がったＬ字形状の係止突起５３が前方へ突設されている。ハウジング４０のボディ４１の底面の左右両端部にはそれぞれ係止穴４１ｂが前後に貫設されていて、図４に示すように係止突起５３が係止穴４１ｂに係入することにより屋内接続装置４はホルダ５に支持されている。ここにおいて、挿通筒Ｗ１及びホルダ５はそれぞれ前方から見てハウジング４０に完全に覆われる。
【００１７】
ホルダ５においてケーブル挿通穴５１の下側には、左右に対向する２個のガイド突起５４がそれぞれ前方へ突設されている。壁面から引き出されたＬＡＮケーブル２及び電源線３は、それぞれガイド突起５４の間を通じ、いったん屋内接続装置４の下方へ引き出される。屋内接続装置４のハウジング４０には、下方と後方とにそれぞれ開放されてＬＡＮケーブル２及び電源線３がそれぞれ挿通される凹部４１ｃが設けられている。
【００１８】
屋内接続装置４は、それぞれＬＡＮケーブル２の一端に設けられたモジュラプラグ２１が接続されるレセプタクルとしての２個のモジュラジャック４３を有する。モジュラジャック４３の互いに対応する導電部材同士は、電線４３ｂを介して互いに電気的に接続されている。ボディ４１の下面の前端には、２個の切り欠き４１ｄが左右に並べて設けられており、これらの切り欠き４１ｄとカバー４２の後面との間に構成される貫通穴から、モジュラジャック４３においてモジュラプラグ２１が挿入されるプラグ挿入口４３ａが露出するようになっている。一方のモジュラジャック４３は光加入者線終端装置１に接続され、他方のモジュラジャック４３は端末機器に接続される。
【００１９】
また、屋内接続装置４のハウジング４０内には、一端に光加入者線終端装置１が接続された電源線３の他端に設けられた電源プラグ３１が接続されるコンセント４４が保持されている。ここで、上記電源プラグ３１は、一般的な１００Ｖ用のものであってもよいし、１００Ｖの交流電力を例えば１２Ｖや２４Ｖといった直流電力に変換する周知のＡＣアダプタが一体化されたものであってもよい。ボディ４１の下面の前端には、コンセント４４において電源プラグ３１の栓刃３１ａが挿入される栓刃挿入口４４ａを露出させる貫通穴をカバー４２の後面との間に構成する切り欠き４１ｅが設けられている。コンセント４４はコード４４ｂの一端に接続されており、このコード４４ｂの他端には電源プラグ４４ｃが設けられていて、この電源プラグ４４ｃは屋内に設けられた商用電源のコンセントＡＣに接続される。光加入者線終端装置１の電源は、電源線３とコンセント４４とコード４４ｂとを介して商用電源から供給される。つまり、コンセント４４とコード４４ｂと電源プラグ４４ｃとが請求項における電源供給手段である。また、ボディ４１の下面の前端には、コード４４ｂが挿通される貫通穴をカバー４２の後面との間に構成する切り欠き４１ｆが設けられている。また、コード４４ｂには、コード４４ｂを囲んで上記切り欠き４１ｆに挿通される細径部を有しハウジング４０における上記切り欠き４１ｆの周囲を上下から挟む形状のブッシュ４４ｄが取り付けられている。さらに、屋内配線装置４は、ねじＳｂによってボディ４１にねじ止めされてボディ４１の内底面との間にコード４４ｂを挟む止め具４５を有する。すなわち、コード４４ｂの一部が止め具４５やブッシュ４４ｄで固定されることにより、コード４４ｂの一部に応力が過剰に集中するようなコード４４ｂの曲がりが防止される。
【００２０】
本実施形態において、光加入者線終端装置１に電源が供給される状態とするには、一端が光加入者線終端装置１に接続された電源線３の他端に設けられた電源プラグ３１をコンセント４４に接続するとともに、電源プラグ４４ｃを屋内のコンセントＡＣに接続する。また、端末機器を光加入者線終端装置１に接続するには、一端が光加入者線終端装置１に接続され屋内に引き込まれたＬＡＮケーブル２の一端を一方（例えば右側）のモジュラジャック４３に接続し、他方（例えば左側）のモジュラジャック４３には、一端がハブやルータを介して又は直接に端末機器に接続されたＬＡＮケーブル２の他端に設けられたモジュラプラグ２１を接続する。すると、端末機器が屋内接続装置４を介して光加入者線終端装置１に接続される。このように、本実施形態では、屋外に配置された光加入者線終端装置１に光ファイバケーブルＦＣを接続する作業以外では、光ファイバケーブルＦＣが取り扱われることがない。
【００２１】
上記構成によれば、光加入者線終端装置１を屋外に配置するようにしたことにより、光ファイバケーブルＦＣを扱う作業は屋外のみで完了することができる。従って、システムの構築や端末機器の配置換えといった作業の際に屋内で行う作業では光ファイバケーブルＦＣを扱うことがなくＬＡＮケーブル２を扱うだけであって、特に専門知識を有さない一般の使用者が行うことができ施工業者が屋内に入る必要がないから、従来例のように光ファイバケーブルＦＣを屋内まで引き込む場合に比べ、施工性及び利便性が高い。
【００２２】
なお、屋内接続装置４にモジュラジャック４３を２個設ける代わりに、図５及び図６に示すように、ＬＡＮケーブル２が挿通される挿通穴４１ｇをボディ４１に設け、屋内接続装置４に設けるモジュラジャック４３をＬＡＮケーブル２に直接接続された１個のみとしてもよい。
【００２３】
また、端末機器と屋内接続装置４との接続には、例えば無線ＬＡＮやＰＬＣ（PowerLineCommunication）といった他の周知の手段を用いてもよい。
【図面の簡単な説明】
【００２４】
【図１】本発明の実施形態の構成を示す説明図である。
【図２】同上の屋内接続装置とホルダとを示す斜視図である。
【図３】同上の屋内接続装置を示す分解斜視図である。
【図４】同上の屋内接続装置とホルダとを示す断面図である。
【図５】同上の別の形態における屋内接続装置とホルダとを示す斜視図である。
【図６】図５の形態における屋内接続装置を示す分解斜視図である。
【符号の説明】
【００２５】
１  光加入者線終端装置
２  ＬＡＮケーブル
３  電源線
４  屋内接続装置
２１  モジュラプラグ
４３  モジュラジャック（請求項におけるレセプタクル）
４３ａ  プラグ挿入口
４４  コンセント（請求項における電源供給手段）
４４ｂ  コード
４４ｃ  電源プラグ
ＦＣ  光ファイバケーブル
【図１】
2008042494.tif 000003
【図２】
2008042494.tif 000004
【図３】
2008042494.tif 000005
【図４】
2008042494.tif 000006
【図５】
2008042494.tif 000007
【図６】
2008042494.tif 000008